(57)【特許請求の範囲】
【請求項１】
基板上に抵抗膜が形成された座標入力面を有するパネル手段と、
前記パネル手段における抵抗膜を囲むように形成された周囲電極と、
前記抵抗膜を介して離間して設けられた２以上の前記周囲電極の各端部における電圧を測定するパネル電圧測定手段と、
前記パネル電圧測定手段により測定された電圧を用いて、前記パネル手段における座標入力面に対する接触座標を検出する座標検出手段と、
直流電源回路に接続された電源端子又は接地端子の何れかに選択的に接続するものであって、前記周囲電極の端部ごとに設けられたスイッチ手段と、
前記スイッチ手段の動作を制御するスイッチ制御手段と、
前記スイッチ制御手段により特定の前記周囲電極の端部と前記接地端子とを接続させると共に他の前記周囲電極の端部と前記電源端子を接続させた状態で、前記パネル電圧測定手段により電圧を測定させ、当該電圧に基づいて補正係数を演算する補正係数演算手段とを備え、
前記パネル手段に対する接触座標を検出する際に、前記スイッチ制御手段により電源端子と任意の前記周囲電極の端部とを選択的に接続させた状態で前記パネル電圧測定手段により電圧を測定し、前記座標検出手段により当該測定された電圧を前記補正係数により補正して接触座標を検出すること
を特徴とする座標検出装置。
【請求項２】
前記スイッチ手段は、前記直流電源回路に一方端が直列接続されたプルアップ抵抗及び当該プルアップ抵抗の他方端に直列接続された電圧測定抵抗と、前記プルアップ抵抗と前記電圧測定抵抗との間に一方端が接続され他方端が接地端子に接続されたスイッチとを含み、
前記スイッチ制御手段は、前記スイッチ手段のうち単一のスイッチ手段におけるスイッチを前記接地端子に導通させるよう動作させ、他のスイッチ手段におけるスイッチを前記接地端子に対して開放させるよう動作させ、
前記パネル電圧測定手段は、前記接地端子に導通されたスイッチ手段を介して電圧を測定すること
を特徴とする請求項１に記載の座標検出装置。
【請求項３】
前記座標入力面は四角形状となっており前記スイッチ手段を前記座標入力面の４つの端部に設けたことを特徴とする請求項２に記載の座標検出装置。
【請求項４】
前記補正係数演算手段は、任意の前記周囲電極の端部と前記接地端子とを接続させた状態で前記パネル電圧測定手段により電圧を測定する動作を、前記周囲電極の端部ごとに行い、当該周囲電極の端部ごとの電圧を平均化した電圧値に基づいて、補正係数を演算することを特徴とする請求項１乃至請求項３の何れか一項に記載の座標検出装置。
【発明の詳細な説明】
【技術分野】
【０００１】
本発明は、タッチパネルに対するタッチ位置を検出する座標検出装置に関する。
【背景技術】
【０００２】
従来より、タッチパネルに対するタッチ位置を検出する座標検出装置としては、下記の特許文献１に記載されたものが知られている。この座標検出装置は、ガラス基板裏面に導電性抵抗膜（ITO膜）とその周囲四辺にそれぞれ周囲電極を配置し、対向する周囲電極からそれぞれ接続線を経由してCPUに接続して構成されている。この座標検出装置は、ガラス基板表面にユーザの指がタッチしたときのXY座標を求める。
【０００３】
また、他の技術としては、特許文献２に記載されたものが知られている。この特許文献２には、図５に示した座標検出装置が記載されている。
【０００４】
この座標検出装置は、座標入力パネル上に面抵抗体１０２が設けられ、面抵抗体１０２を取り囲む様に四角形の抵抗性周囲電極１０３が形成され、四角形の抵抗性周囲電極の４頂点の縦横のパターンの少なくとも２箇所が切り離された状態になっている。座標を指示する座標指示器１０８の位置を検出するときは抵抗性周囲電極１０３の４頂点をそれぞれ電気的に導通させる。面抵抗体１０２の面抵抗値を測定するときは縦横パターン間の近くにある片側端子間の抵抗値を測定する。周囲電極１０３の抵抗値を測定するときは縦パターンまたは横パターンの両端間の抵抗を測定し、検出された座標データのズレを補正する。
【０００５】
具体的には、座標検出装置は、電源投入後、抵抗測定するための準備としてスイッチ回路１０１−１、１０１−２をオフする。次に、面抵抗体１０２の抵抗値を測定するために端点Ａ−１、Ａ−２間の抵抗を抵抗測定回路１１１−１で測定する。次に、抵抗性周囲電極１０３−２の抵抗値を測定するため端点Ａ−１，Ｂ−１間の抵抗を抵抗測定回路１１１−２で測定する。次に、測定された面抵抗体１０２の抵抗値と抵抗性周囲電極１０３−２の抵抗値で抵抗倍率の変化比を算出する。次に、求めた変化比と予め記憶されている初期の変化比より倍率補正係数αを算出し信号処理部１００に記憶する。次に、座標算出するための準備としてスイッチ回路１０１−１、１０１−２をオンする。次に、座標指示器１０８で指示された位置の検出信号より座標データを算出する。次に、倍率補正係数αにより抵抗変化に対応した座標データを補正する。次に、補正された座標データを位置座標情報として外部装置へ出力する。
【先行技術文献】
【特許文献】
【０００６】
【特許文献１】特開２００４−２４６６５７号公報
【特許文献２】特開２００９−２０５５６２号公報
【発明の概要】
【発明が解決しようとする課題】
【０００７】
しかしながら、上述の特許文献１に記載された技術では、導電性抵抗膜と周囲電極は周囲温度によって抵抗値が変化するため、検出位置を誤認識する問題が発生していた。
【０００８】
また、特許文献２に記載された技術では、周囲電極１０３の一辺を専用の抵抗測定回路１１１に接続して抵抗値を測定して温度補正係数を求め、座標検出値に補正係数を掛け合わせて検出位置の補正を行なうものである。しかし、この構成では、信号処理回路１００に交流電源を使用していたため、直流を使用する抵抗測定回路１１１は、独立して設ける必要があるため、回路が複雑となってしまう。また、パネルの上部の温度を測定しているで正確な補正ができないという問題があった。
【０００９】
更に、上述した座標検出装置において、導電性抵抗膜を使用したタッチパネルは、使用される導電性抵抗膜や周囲電極が雰囲気温度や経年変化によって抵抗値が変化する。この抵抗値変化は、実際にユーザがタッチした位置と異なる位置をタッチ位置として認識してしまう。
【００１０】
そこで、本発明は、上述した実情に鑑みて提案されたものであり、高精度にユーザの接触座標を検出することができる座標検出装置を提供することを目的とする。
【課題を解決するための手段】
【００１１】
上記の課題を解決する第１の発明に係る座標検出装置は、基板上に抵抗膜が形成された座標入力面を有するパネル手段と、前記パネル手段における抵抗膜を囲むように形成された周囲電極と、前記抵抗膜を介して離間して設けられた２以上の前記周囲電極の各端部における電圧を測定するパネル電圧測定手段と、前記パネル電圧測定手段により測定された電圧を用いて、前記パネル手段における座標入力面に対する接触座標を検出する座標検出手段と、直流電源回路に接続された電源端子又は接地端子の何れかに選択的に接続するものであって、前記周囲電極の端部ごとに設けられたスイッチ手段と、前記スイッチ手段の動作を制御するスイッチ制御手段と、前記スイッチ制御手段により特定の前記周囲電極の端部と前記接地端子とを接続させると共に他の前記周囲電極の端部と前記電源端子を接続させた状態で、前記パネル電圧測定手段により電圧を測定させ、当該電圧に基づいて補正係数を演算する補正係数演算手段とを備え、前記パネル手段に対する接触座標を検出する際に、前記スイッチ制御手段により電源端子と任意の前記周囲電極の端部とを選択的に接続させた状態で前記パネル電圧測定手段により電圧を測定し、前記座標検出手段により当該測定された電圧を前記補正係数により補正して接触座標を検出することを特徴とする。
【００１２】
第１の発明に係る座標検出装置であって、第２の発明は、前記スイッチ手段は、前記直流電源回路に一方端が直列接続されたプルアップ抵抗及び当該プルアップ抵抗の他方端に直列接続された電圧測定抵抗と、前記プルアップ抵抗と前記電圧測定抵抗との間に一方端が接続され他方端が接地端子に接続されたスイッチとを含み、前記スイッチ制御手段は、前記スイッチ手段のうち単一のスイッチ手段におけるスイッチを前記接地端子に導通させるよう動作させ、他のスイッチ手段におけるスイッチを前記接地端子に対して開放させるよう動作させ、前記パネル電圧測定手段は、前記接地端子に導通されたスイッチ手段を介して電圧を測定することを特徴とする。
【００１３】
第２の発明に係る座標検出装置であって、第３の発明は、前記座標入力面は四角形状となっており前記スイッチ手段を前記座標入力面の４つの端部に設けたことを特徴とする。
【００１４】
第１乃至第３の何れかの発明に係る座標検出装置であって、第４の発明は、前記補正係数演算手段は、任意の前記周囲電極の端部と前記接地端子とを接続させた状態で前記パネル電圧測定手段により電圧を測定する動作を、前記周囲電極の端部ごとに行い、当該周囲電極の端部ごとの電圧を平均化した電圧値に基づいて、補正係数を演算することを特徴とする。
【発明の効果】
【００１５】
本発明によれば、特定のパネル手段の端部と接地端子とを接続させると共に他のパネル手段の端部と電源端子を接続させた状態で電圧を測定させ、当該電圧に基づいて補正係数を演算するので、パネル手段の温度変化によらず、高精度にパネル手段に対する接触座標を検出できる。
【図面の簡単な説明】
【００１６】
【図１】本発明の一実施形態として示す座標検出装置の構成を示す回路図である。
【図２】本発明の一実施形態として示す座標検出装置におけるＵ軸方向の接触座標を検出する構成を示す回路図である。
【図３】本発明の一実施形態として示す座標検出装置において補正係数を演算するときの動作を説明する回路図である。
【図４】本発明の一実施形態として示す座標検出装置における他の構成を示す回路図である。
【図５】従来の座標検出装置の構成を示す回路図である。
【発明を実施するための形態】
【００１７】
以下、本発明の実施の形態について図面を参照して説明する。
【００１８】
［第１実施形態］
本発明の第１実施形態として示す座標検出装置は、例えば図１に示すように構成される。この座標検出装置は、ＣＰＵ１、タッチパネル部２、周囲電極３、及び、スイッチ回路ＳＷ０〜ＳＷ３を含む。
【００１９】
この座標検出装置は、タッチパネル部２が、例えば画像表示装置における画像表面に設けられる。座標検出装置は、車載ナビゲーション装置等に接続された画像表示装置にアイコンメニュー等が表示された状態で、当該アイコンメニューに相当する箇所がタッチ操作されたか否かを判断するための操作座標を算出するものである。
【００２０】
タッチパネル部２は、基板上に透明の導電性抵抗膜（ＩＴＯ膜）が形成された座標入力面を有する。具体的には、四角形状に形成されたガラス基板の表面に抵抗膜が形成される。さらに、抵抗膜は透明膜によってオーバーコートされている。これらのガラス基板、抵抗膜及び透明膜から、タッチパネル部２が構成される。このタッチパネル部２において、座標入力面の図中左右方向をＸ軸方向とし、奥行き方向をＹ軸方向とする。
【００２１】
このタッチパネル部２における座標入力面は、ユーザによりタッチ（接触）操作される。本実施形態においては、タッチパネル部２は、長方形となっている。しかし、タッチパネル部２は長方形に限らず、タッチ操作がされうるような画面であればあらゆる形状であっても良いことは勿論である。
【００２２】
周囲電極３は、タッチパネル部２の座標入力面を囲うようタッチパネル部２の端部に形成されている。周囲電極３は、導電性抵抗膜（ＩＴＯ膜）よりも面抵抗値が低い材料からなる。この周囲電極３における４つの角部Ｐ０，Ｐ１，Ｐ２，Ｐ３には、それぞれ、スイッチ回路ＳＷ０，ＳＷ１，ＳＷ２，ＳＷ３が接続されている。
【００２３】
なお、周囲電極３は、タッチパネル部２が四角形であるために、４つの角部Ｐ０，Ｐ１，Ｐ２，Ｐ３のそれぞれにスイッチ回路ＳＷ０，ＳＷ１，ＳＷ２，ＳＷ３を接続しているが、これには限られない。すなわち、スイッチ回路ＳＷ０，ＳＷ１，ＳＷ２，ＳＷ３は、後述するように、可能な限り長い距離に亘ってタッチパネル部２における現在の抵抗値を反映した電圧を計測可能なように、離間した周囲電極３上の位置に接続されていれば良い。
【００２４】
スイッチ回路ＳＷ０，ＳＷ１，ＳＷ２，ＳＷ３は、角部Ｐ０，Ｐ１，Ｐ２，Ｐ３に対する電圧の印加を切り換えるよう構成されている。具体的には、スイッチ回路ＳＷ０は、直流電源回路に接続された電源端子Ｖｔ０、プルアップ抵抗Ｒｐ０、電圧測定抵抗Ｒｖ０、スイッチＮＣＴＬ０、接地端子Ｇｔ０から構成されている。電源端子Ｖｔ０は、座標検出装置に備えれた直流電源回路に接続されている。この電源端子Ｖｔ０はタッチパネル部２に電圧を印加する電圧供給手段として機能する。プルアップ抵抗Ｒｐ０の一方端は、電源端子Ｖｔ０に直列接続されている。電圧測定抵抗Ｒｖ０の一方端はプルアップ抵抗Ｒｐ０の他方端に直列接続されている。電圧測定抵抗Ｒｖ０の他方端は角部Ｐ０に接続されている。スイッチＮＣＴＬ０の一方端はプルアップ抵抗Ｒｐ０と電圧測定抵抗Ｒｖ０との間に接続されている。スイッチＮＣＴＬ０の他方端は接地端子Ｇｔ０に接続されている。他のスイッチ回路ＳＷ１，ＳＷ２，ＳＷ３も同様に構成されている。
【００２５】
ＣＰＵ１は、周囲電極３における角部Ｐ０，Ｐ１，Ｐ２，Ｐ３と接続されている。ＣＰＵ１は、信号処理部１１、ＡＤコンバータ１２、スイッチ制御部１３を備える。
【００２６】
ＡＤコンバータ１２は、周囲電極３における角部Ｐ０，Ｐ１，Ｐ２，Ｐ３を介して角部Ｐ０，Ｐ１，Ｐ２，Ｐ３における電圧信号が入力される。ＡＤコンバータ１２は、電圧信号をディジタル値に変換する。これにより座標検出装置は角部Ｐ０，Ｐ１，Ｐ２，Ｐ３の電圧を測定するパネル電圧測定手段を構成する。
【００２７】
信号処理部１１は、ＡＤコンバータ１２により変換された電圧値を用いて、タッチパネル部２におけるユーザの接触座標を求める。また、信号処理部１１は、ユーザの接触座標を正確な値に補正するための補正係数を演算する。信号処理部１１は、補正係数を用いて、ユーザの接触座標を補正する。信号処理部１１は、補正した接触座標を外部に出力する。信号処理部１１は、例えば画像表示装置に表示されたメニューに従って動作する車載ナビゲーション装置に接触座標を供給する。
【００２８】
スイッチ制御部１３は、スイッチ回路ＳＷ０，ＳＷ１，ＳＷ２，ＳＷ３におけるスイッチＮＣＴＬ０，ＮＣＴＬ１，ＮＣＴＬ２，ＮＣＴＬ３の開閉状態を制御する。スイッチ制御部１３は、ＣＰＵ１の指示に従って、補正係数を求める場合及びユーザの接触座標を求める場合に、スイッチＮＣＴＬ０，ＮＣＴＬ１，ＮＣＴＬ２，ＮＣＴＬ３に制御信号を供給する。
【００２９】
つぎに、図２を用いて、タッチパネル部２上の抵抗膜に触れた際のタッチ位置の検出方法について説明する。
【００３０】
図２は、図１内に示すＵ軸方向のタッチ位置を検出する場合を示すブロック図である。タッチパネル部２における角部Ｐ０〜角部Ｐ１間の抵抗値をＲとする。
【００３１】
スイッチ回路ＳＷ０，ＳＷ１，ＳＷ２，ＳＷ３を、Ｕ軸方向のタッチ位置の検出時において、スイッチＮＣＴＬ０，ＮＣＴＬ１をオフ（開、開放状態）にし、スイッチＮＣＴＬ２，ＮＣＴＬ３をオン（閉、導通状態）にすると、電圧値がＶｔ０、Ｖｔ１のパルス信号が供給される。このパルス信号は、ＣＰＵ１からの制御に従って、常時一定間隔をおきながら出力されている。
【００３２】
タッチパネル部２を指１６で触れた際の位置をタッチ点Ｐとし、タッチ点Ｐでの電圧値をＶｃとする。タッチ点Ｐから角部Ｐ０までの抵抗値をＲａとし、タッチ点Ｐから角部Ｐ１までの抵抗値をＲｂとする。また、タッチパネル部２の角部Ｐ０〜角部Ｐ１間の抵抗値はＲなので、Ｒ＝Ｒａ＋Ｒｂが成立する。
【００３３】
タッチパネル部２が接触されていない場合は、タッチパネル部２に電流が流れないので、角部Ｐ０と角部Ｐ１の電圧は同じとなる。
【００３４】
タッチパネル部２を指１６で触れると、タッチパネル部２のタッチ点Ｐから人体に向かい電流が流れ、人体とタッチパネル部２の間に静電容量Ｃが存在するので、静電容量Ｃの充電によりＶｃが上昇する。
【００３５】
この時、角部Ｐ０と角部Ｐ１の電圧は、抵抗値Ｒａと抵抗値Ｒｂにより異なる電圧値を示す。このため、タッチパネル部２におけるＵ軸方向のタッチ位置が検出できる。
【００３６】
次に、図１に示すＶ軸方向のタッチ位置を検出するため、ＣＰＵ１のスイッチ制御部１３は、スイッチ回路ＳＷ２，ＳＷ３におけるスイッチＮＣＴＬ２，ＮＣＴＬ３を制御し、電圧値がＶｔ２，Ｖｔ３のパルス信号がタッチパネル部２の角部Ｐ２〜角部Ｐ３間に供給される。これにより、Ｖ軸方向のタッチ位置の検出が行われるが、詳細な動作は前述のＵ軸方向の検出と同様であるので説明を省略する。
【００３７】
次に、ＣＰＵの信号処理部１１は、検出したタッチ位置のＵ軸方向座標及びＶ軸方向座標を、Ｘ座標及びＹ座標に変換する。Ｘ座標は、タッチパネル部２の横方向であり、Ｙ座標はタッチパネル部２の縦方向である。
【００３８】
このような原理より、ＣＰＵ１は、スイッチ制御部１３によって何れか対角上の２つのスイッチＮＣＴＬをオフとした状態で、他のスイッチＮＣＴＬをオンに制御する。これにより、ＣＰＵ１は、タッチパネル部２において接触されたタッチ位置に応じた電圧を取得でき、当該電圧に応じて接触座標を特定できる。
【００３９】
つぎに、上述したように構成された座標検出装置による補正係数の演算動作について説明する。
【００４０】
先ず、動作（１）において、ＣＰＵ１のスイッチ制御部１３は、スイッチ回路ＳＷ０のスイッチＮＣＴＬ０をオンに制御する。また、スイッチ制御部１３は、スイッチＮＣＴＬ１，ＮＣＴＬ２，ＮＣＴＬ３をオフに制御する。これにより、角部Ｐ０を接地端子Ｇｔ０に接続する。また、角部Ｐ１，Ｐ２，Ｐ３を電源端子Ｖｔ１，Ｖｔ２，Ｖｔ３に接続する。
【００４１】
この状態において、電流は、角部Ｐ１，Ｐ２，Ｐ３の電源端子Ｖｔ１，Ｖｔ２，Ｖｔ３からプルアップ抵抗Ｒｐ１，Ｒｐ２，Ｒｐ及び電圧測定抵抗Ｒｖ１，Ｒｖ２，Ｒｖ３を経由して角部Ｐ１，Ｐ２，Ｐ３に流れる。そして、この電流は、角部Ｐ１，Ｐ２，Ｐ３から周囲電極３及びタッチパネル部２を経由して、角部Ｐ０に集まって電圧測定抵抗Ｒｖ０を介して接地端子Ｇｔ０に流れる。このような電流の経路は、タッチパネル部２の全体に亘って流れることとなる。よって、座標検出装置によれば、タッチパネル部２の全体温度の影響を考慮していることとなる。
【００４２】
この状態において、ＣＰＵ１は、内蔵されたＡＤコンバータ１２によって角部Ｐ０の電圧を測定する（動作（２））。ここで、プルアップ抵抗Ｒｐと電圧測定抵抗Ｒｖは、既知の抵抗値であり、当該抵抗値は雰囲気温度にはほとんど依存しない一定値である。このため、測定された角部Ｐ０の電圧値は、角部Ｐ０−角部Ｐ１間、角部Ｐ０−角部Ｐ２間、角部Ｐ０−角部Ｐ３間の合成抵抗値とみなせる。
【００４３】
次の動作（３）において、ＣＰＵ１は、予め工場出荷時に標準となる温度で測定した電圧値と、動作（２）において測定した電圧値とを比較して、補正係数を決定する。
【００４４】
次の動作（４）において、ＣＰＵ１は、スイッチ回路ＳＷ０，ＳＷ１，ＳＷ２，ＳＷ３におけるスイッチＮＣＴＬ０，ＮＣＴＬ１，ＮＣＴＬ２，ＮＣＴＬ３を全てオンとすることにより回路の初期化を行う。そして、ＣＰＵ１は、タッチパネル部２において接触された接触座標の検出を行う。
【００４５】
次の動作（５）において、ＣＰＵ１は、動作（４）にて検出された接触座標に対して動作（３）にて求めた補正係数を乗算して接触座標の補正を行う。そして、ＣＰＵ１は、補正した接触座標を出力する。
【００４６】
以上のように、この座標検出装置によれば、接触座標を測定するに際して、特定の角部Ｐに接続されたスイッチ回路ＳＷのスイッチＮＣＴＬをオンとし、他のスイッチ回路ＳＷのスイッチＮＣＴＬをオフにして、補正係数を求める。
【００４７】
そして、座標検出装置は、タッチパネル部２に対する接触座標を検出する際に、電源端子Ｖｔとタッチパネル部２とを選択的に接続させた状態で電圧を測定し、当該測定された電圧を補正係数により補正して接触座標を検出できる。したがって、この座標検出装置によれば、タッチパネル部２の温度変化によらず、高精度にタッチパネル部２に対する接触座標を検出できる。
【００４８】
また、この座標検出装置によれば、タッチパネル部２に対する接触座標を検出する構成に対して、補正係数を算出するために特別な回路構成を備える必要がない。したがって、この座標検出装置によれば、部品点数の増加をすることなく、コスト増も抑制できる。すなわち、既存の座標検出装置ではタッチ位置を算出するために交流電源を使用し、抵抗測定回路を配置する必要があったが、本願の座標検出装置では、直流電源回路を使用して抵抗値を検出するために抵抗測定回路を設ける必要がない。また、ＣＰＵ１に内蔵されているＡＤコンバータ１２を抵抗測定回路として利用できる。よって、この座標検出装置によれば、部品点数の増加及びコスト増を抑制できる。
【００４９】
また、この座標検出装置は、上述したように、タッチパネル部２の４つの端部にスイッチ回路ＳＷを接続する構成ではなく、図４に示すように、タッチパネル部２における対角線上に２つのスイッチ回路ＳＷを接続しても良い。
【００５０】
この座標検出装置は、角部Ｐ０にスイッチ回路ＳＷ０を接続すると共に、角部Ｐ１にスイッチ回路ＳＷ１を接続している。この座標検出装置においては、スイッチ回路ＳＷを接続しない角部Ｐ２、角部Ｐ３はスイッチ等によって開放状態にする必要がある。
【００５１】
このような座標検出装置は、補正係数を演算する際に、スイッチ回路ＳＷ０のスイッチＮＣＴＬ０をオンとし、スイッチ回路ＳＷ１のスイッチＮＣＴＬ１をオフにする。この状態では、スイッチ回路ＳＷ１の電源端子Ｖｔ１からスイッチ回路ＳＷ０の接地端子Ｇｔ０に向けて電流が流れる。この電流は、タッチパネル部２の抵抗値に依存したものである。したがって、ＣＰＵ１は、角部Ｐ０における電圧を測定することによって、現在のタッチパネル部２の抵抗値に応じた電圧を得て、補正係数を演算することができる。
【００５２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５３】
１  ＣＰＵ
２  タッチパネル部
３  周囲電極
１１  信号処理部
１２  ＡＤコンバータ
１３  スイッチ制御部
１６  指
【図１】
0005775761.tif 000002
【図２】
0005775761.tif 000003
【図３】
0005775761.tif 000004
【図４】
0005775761.tif 000005
【図５】
0005775761.tif 000006